(57)【要約】【課題】搬送台車上へ着脱可能に載置される屋根を、搬送台車上に簡便かつ迅速に着脱し、搬送台車上に載置しないときには作業場等における作業の邪魔になりにくい場所に保管する。【解決手段】屋根リフトアップシステム１は、屋根２と、屋根２を昇降させるフォークリフト３とを備える。フォークリフト３は、搬送台車４の通路Ｌ横に設置され、搬送台車４上へ着脱可能に載置される屋根２を搬送台車４上で昇降させることにより搬送台車４上に屋根２を着脱する。フォークリフト３を用いて屋根２の着脱を行うため、屋根２が大型で重い場合であっても搬送台車４上に屋根２を簡便かつ迅速に着脱することができる。また、搬送台車４上に屋根２を載置しないときには、フォークリフト３を用いて屋根２を持ち上げて保管するため、保管した屋根２の下方を搬送台車４や人が通ることができ、作業場等において保管した屋根２が作業の邪魔になりにくい。【選択図】図１
2012106566.tif 000002
【特許請求の範囲】
【請求項１】
搬送台車上へ着脱可能に載置される屋根と、
前記搬送台車の通路横に設置され前記屋根を昇降させるフォークリフトと、を備え、
前記フォークリフトは、前記屋根を昇降させることにより前記搬送台車上に前記屋根を着脱することを特徴とする屋根リフトアップシステム。
【請求項２】
前記フォークリフトは、建物の出入り口付近の建物内側に設けられ、前記搬送台車が前記建物内から外に出るときに前記搬送台車上に前記屋根を取り付け、前記搬送台車が前記建物外から内に入るときに前記搬送台車上から前記屋根を取り外すことを特徴とする請求項１に記載の屋根リフトアップシステム。
【発明の詳細な説明】
【技術分野】
【０００１】
本発明は、搬送台車上へ着脱可能に載置される屋根を昇降させる屋根リフトアップシステムに関する。
【背景技術】
【０００２】
従来から、搬送台車上に積載された積荷を風雨等から守るために幌（屋根）が利用されている。このような屋根の一つとして、搬送台車上へ着脱可能に載置される屋根がある（例えば、特許文献１参照）。この屋根は、すでに組み立てられたものであるため、搬送台車上に載置するだけで即時使用可能である。
【先行技術文献】
【特許文献】
【０００３】
【特許文献１】特公昭６３−１８５２３号公報
【発明の概要】
【発明が解決しようとする課題】
【０００４】
しかしながら、上記特許文献１に示される屋根においては、搬送台車上への屋根の着脱は手動で行われるため、特に、屋根が大型で重い場合には、屋根の着脱に手間がかかる。また、搬送台車上に屋根を載置しないときには、屋根をどこかに保管しておく必要があり、作業場等において屋根の保管場所によっては作業の邪魔になる虞がある。
【０００５】
本発明は、上記課題を解決するものであって、搬送台車上に屋根を簡便かつ迅速に着脱することができ、かつ搬送台車上に屋根を載置しないときには、作業の邪魔になりにくい場所に屋根を保管することができる屋根リフトアップシステムを提供することを目的とする。
【課題を解決するための手段】
【０００６】
本発明は、搬送台車上へ着脱可能に載置される屋根と、前記搬送台車の通路横に設置され前記屋根を昇降させるフォークリフトとを備え、前記フォークリフトは、前記屋根を昇降させることにより前記搬送台車上に前記屋根を着脱することを特徴とする。
【０００７】
また、前記フォークリフトは、建物の出入り口付近の建物内側に設けられ、前記搬送台車が前記建物内から外に出るときに前記搬送台車上に前記屋根を取り付け、前記搬送台車が前記建物外から内に入るときに前記搬送台車上から前記屋根を取り外すことが好ましい。
【発明の効果】
【０００８】
本発明によれば、フォークリフトを用いて搬送台車上への屋根の着脱を行うため、屋根が大型で重い場合であっても搬送台車上に屋根を簡便かつ迅速に着脱することができる。また、搬送台車上に屋根を載置しないときには、フォークリフトを用いて屋根を持ち上げて保管するため、保管した屋根の下方を搬送台車や人が通ることができ、作業場等において保管した屋根が作業の邪魔になりにくい。
【図面の簡単な説明】
【０００９】
【図１】本発明の実施形態に係る屋根リフトアップシステムの構成を示す斜視図。
【図２】上記システムにおける屋根・フォークリフト接触部位の拡大図。
【図３】（ａ）（ｂ）（ｃ）は、上記システムにおける搬送台車が建物内から外に出るときの搬送台車上に屋根を取り付ける動作過程を示す図。
【図４】上記システムにおける搬送台車が建物内から外に出るときのフォークリフトの動作過程を示す図。
【発明を実施するための形態】
【００１０】
本発明の実施形態に係る屋根リフトアップシステムについて、図面を参照して説明する。図１に示されるように、屋根リフトアップシステム１は、屋根２と、屋根２を昇降させるフォークリフト３とを備える。屋根２は、搬送台車４上へ着脱可能に載置されるものである。
【００１１】
屋根２は、フレーム２１と、フレーム２１に保持された幌２２とを備える。フレーム２１は、屋根２の前後端に位置する逆Ｕ字形状のフレーム２１ａと、屋根２の左右両側の前後方向底辺を成す断面コの字形でレール状のフレーム２１ｂとから構成される。フレーム２１ａは、幌２２がトンネル形状を形成するためのものである。フレーム２１ｂは、断面コの字形の開口（凹部）を屋根２の外側に向けた状態で配置される。フレーム２１ｂの下レールには、下レールを貫通する孔である複数の穴部２３が設けられる。なお、屋根２の形状は、トンネル形状に限定されない。また、幌２２は、屋根２の使用目的に応じて、例えば、防水加工、遮光加工、防塵加工等の加工が施されてもよい。
【００１２】
フォークリフト３は、Ｌ字型形状のフォーク３１と、フォーク３１を支持し、かつ昇降させるマスト３２と、マスト３２を支持するベース３３とを備える。フォーク３１は、その水平部分により屋根２を保持する。マスト３２は、フォーク３１を昇降させる昇降手段を有し（図示せず）、ベース３３上に立設される。ベース３３は、地上に配置される。フォークリフト３は更に、操作部及び昇降手段を駆動するための油圧ポンプ等を備える（図示せず）。フォークリフト３は、フォーク３１を搬送台車４の通路Ｌに向けた状態で通路Ｌの横に設置される。本実施形態においては、通路Ｌは、建物Ｂ内から建物Ｂの出入り口Ｇを経て建物Ｂ外へと連なっており、フォークリフト３は、建物Ｂの出入り口Ｇ付近の建物Ｂ内側で、かつ通路Ｌの両脇に向かい合って配置される。
【００１３】
搬送台車４は、車体４１と、走行用の車輪４２とを備え、通路Ｌを通って移動する。搬送台車４は更に、車体４１上面の左右両縁に、それぞれ屋根２の穴部２３と嵌合する複数の突起部４３を有する。搬送台車４は、車体４１上面に積荷Ｃを積載して移動するものであり、手動で操作される有人搬送車であってもよいし、自動走行される無人搬送車（ＡＧＶ）であってもよい。
【００１４】
上記のような構成を備える屋根リフトアップシステム１において、フォークリフト３は、図２に示されるように、フォーク３１を屋根２のフレーム２１ｂの凹部に入れ込み、フレーム２１ｂの上レールを支持することにより屋根２を保持する。フォークリフト３は、このように保持した屋根２を搬送台車４上で昇降させることにより、搬送台車４上に屋根２を着脱する。
【００１５】
フォークリフト３は、搬送台車４上で屋根２を下降させることにより、搬送台車４上に屋根２を取り付ける。これを図３及び図４を参照して説明する。まず、図３（ａ）に示されるように、フォークリフト３によって持ち上げられた屋根２の下方に、積荷Ｃを積載した搬送台車４が配置される。次に、図３（ｂ）に示されるように、フォークリフト３は、搬送台車４上へと屋根２を下降させる。このとき、屋根２の穴部２３と搬送台車４の突起部４３とを嵌合させる。その結果、搬送台車４上の所定位置に屋根２が載置される。その後、フォークリフト３は、図４に示されるように、フレーム２１ｂの上レールと突起部４３との間の高さまでフォーク３１を下降させる。これにより、屋根２はフォークリフト３による保持から解放され、図３（ｃ）に示されるように、屋根２が載置された搬送台車４は、建物Ｂの出入り口Ｇを通って建物Ｂ外へと進むことが可能となる。このようにして、搬送台車４が建物Ｂ内から外に出るときに、搬送台車４上に屋根２が取り付けられる。搬送台車４上に取り付けられた屋根２は、建物Ｂ外において搬送台車４上の積荷Ｃを風雨等から守り、例えば、建物Ｂ外において雨が降っていたとしても積荷Ｃは雨に濡れない。
【００１６】
上記過程を逆に行うことにより、フォークリフト３は、屋根２が載置された搬送台車４が建物Ｂ外から内に入ってきたときに、搬送台車４上から屋根２を取り外す。取り外された屋根２は、フォークリフト３によって持ち上げられた状態で保管されるため、屋根２の下方を搬送台車４や人が通ることができ、建物Ｂ内における作業の邪魔になりにくい。このようにして、屋根２が大型で重い場合であっても、搬送台車４上に屋根２を簡便かつ迅速に着脱することができる。
【００１７】
屋根２は建物Ｂ外において搬送台車４上の積荷Ｃを風雨等から守るものであるから、建物Ｂ内において搬送台車４上に屋根２を載置する必要はない。むしろ、建物Ｂ内において搬送台車４上に屋根２を載置すると、搬送台車４上への積荷Ｃの積み上げ等の際に屋根２が邪魔になる。そのため、建物Ｂ内においては搬送台車４上から屋根２を取り外すことが好ましい。これにより、搬送台車４上方の空間が開放され、例えば、クレーン等を用いた搬送台車４上への積荷Ｃの積み上げ等がやりやすくなる。
【００１８】
本実施形態によれば、搬送台車４上へ屋根２を簡便かつ迅速に載置することができ、かつ搬送台車４上に屋根２を載置しないときには作業の邪魔になりにくい場所に屋根２を保管することができる。また、保管した屋根２の下方を搬送台車４や人が通ることができるため、屋根リフトアップシステム１を建物Ｂの出入り口Ｇ付近に設置することも可能である。
【００１９】
なお、本発明に係る屋根リフトアップシステムは、上記実施形態に限定されず種々の変形が可能である。例えば、屋根リフトアップシステムは屋外に設けられ、搬送台車上に積載されて搬送されてきた積荷を船等に積み込む際に、搬送台車上に載置されている屋根を取り外すために利用されてもよい。
【符号の説明】
【００２０】
１  屋根リフトアップシステム
２  屋根
３  フォークリフト
４  搬送台車
Ｌ  搬送台車の通路
Ｂ  建物
Ｇ  出入り口
【図１】
2012106566.tif 000003
【図２】
2012106566.tif 000004
【図３】
2012106566.tif 000005
【図４】
2012106566.tif 000006